(57)【特許請求の範囲】
【請求項１】
バックライト装置（３０）から液晶パネル（２０）の背面側へ光を照射して表示する表示装置において、
前記バックライト装置および前記液晶パネルと、
前記液晶パネルと前記バックライト装置との間に配置され、前記液晶パネルを通して視認される実体物（４２０、４３０、４０）と、
前記液晶パネルのうち前記実体物が背面側に位置する部分の表示領域である特定表示領域（Ｇ１０、Ｇ３００）では、他の表示領域（Ｇ２０、Ｇ４００）に比べて光の透過率が高くなるように、前記液晶パネルの表示を制御する制御装置（６００）と、
を備え、
前記液晶パネルの表示面（２０ａ）が湾曲した形状である表示装置。
【請求項２】
前記表示領域の透過率を、前記実体物が視認可能となる程度に高くする実体物表示モードと、前記実体物が視認できない程度に低くする実体物非表示モードとに切り替える切替部（６１ａ）を備える請求項１に記載の表示装置。
【請求項３】
前記液晶パネルをタッチ操作する操作体（Ｆ）との間で形成される静電容量に応じた検出信号を出力する電極（２２）と、
前記電極から出力される検出信号に基づき、前記タッチ操作の有無を判定する判定部（６１ｂ）と、
を備える請求項１または２に記載の表示装置。
【請求項４】
前記表示面は、１本の仮想直線の周りに湾曲した形状である請求項１〜３のいずれか１つに記載の表示装置。
【請求項５】
車両の室内に設置された状態で、前記仮想直線の延びる方向が水平方向である請求項４に記載の表示装置。
【請求項６】
前記バックライト装置とは別に、前記実体物を照明する光源（４２３）を備える請求項１〜５のいずれか１つに記載の表示装置。
【請求項７】
前記実体物には、前記液晶パネルによる表示画像を加飾する加飾部材（４２０、４３０）、および回転駆動される指針（４０）の少なくとも一方が含まれている請求項１〜６のいずれか１つに記載の表示装置。
【発明の詳細な説明】
【技術分野】
【０００１】
本発明は、液晶パネルを備えた表示装置に関する。
【背景技術】
【０００２】
従来の表示装置には、例えば指針等の実体物を動かして目盛を指し示すことで、表示内容を変化させるものがある。これに対し特許文献１、２に記載の表示装置は、上記実体物を模した画像を液晶パネルに表示させることで、表示内容を多様に変化させることを容易に実現させている。
【０００３】
但し、液晶パネルでは表示画像を立体的に視認させることに物理的限界があり、実体物を用いた表示装置に比べて平面的な見栄えになるのが欠点である。この欠点に対し、特許文献１、２に記載の表示装置では、液晶パネルに対して視認方向手前側に、実体物としての加飾リングを配置している。加飾リングは立体的に視認されるので、液晶パネルの平面的な見栄えに奥行き感を付与させることができる。よって、表示装置の全体を、液晶パネルと加飾リングの組み合わせによる立体的な見栄えにできる。
【先行技術文献】
【特許文献】
【０００４】
【特許文献１】特許第５１８０１５０号公報
【特許文献２】特許第４７８７１０２号公報
【発明の概要】
【発明が解決しようとする課題】
【０００５】
しかしながら、上述の如く液晶パネルの手前側に加飾リング（つまり実体物）を配置すると、液晶パネルによる画像の一部が実体物により遮られて見えなくなるので、液晶パネルの表示面全体を有効に利用できない。
【０００６】
本発明は、上記問題を鑑みてなされたもので、その目的は、液晶パネルに実体物を組み合わせて奥行き感を付与させつつも、液晶パネルの表示面全体を有効に利用可能にした表示装置を提供することにある。
【課題を解決するための手段】
【０００７】
ここに開示される発明は上記目的を達成するために以下の技術的手段を採用する。なお、特許請求の範囲およびこの項に記載した括弧内の符号は、後述する実施形態に記載の具体的手段との対応関係を示すものであって、発明の技術的範囲を限定するものではない。
【０００８】
開示される発明は、バックライト装置（３０）から液晶パネル（２０）の背面側へ光を照射して表示する表示装置において、バックライト装置および液晶パネルと、液晶パネルとバックライト装置との間に配置され液晶パネルを通して視認される実体物（４２０、４３０、４０）と、液晶パネルのうち実体物が背面側に位置する部分の表示領域である特定表示領域（Ｇ１０、Ｇ３００）では、他の表示領域（Ｇ２０、Ｇ４００）に比べて光の透過率が高くなるように、液晶パネルの表示を制御する制御装置（６００）と、を備え、液晶パネルの表示面（２０ａ）が湾曲した形状である。
【０００９】
上記発明によれば、液晶パネルとバックライト装置の間に実体物が配置されているので、液晶パネルによる画像の一部が実体物により遮られて見えなくなることを回避できる。よって、液晶パネルに実体物を組み合わせて奥行き感を付与させつつも、液晶パネルの表示面全体を有効に利用できる。
【００１０】
さらに上記発明によれば、液晶パネルの表示面が湾曲した形状である。そのため、表示装置をユーザが視認するにあたり、ユーザ自身の姿が表示面に映り込んで視認されてしまうことを抑制できる。上記「映り込んで視認」とは、表示装置外部の光である外光が、ユーザに反射した後、液晶パネルの表示面に反射してユーザの眼に入射して視認されることを言う。つまり、表示面が湾曲形状である上記発明によれば、表示面が平坦形状である場合に比べて、ユーザ自身で反射した外光がそのままユーザの目に入射することが抑制されるので、映り込みが抑制される。
【図面の簡単な説明】
【００１１】
【図１】本発明の第１実施形態に係る表示装置の正面図であって、実体物表示モードによる表示内容を示す図。
【図２】図１の断面図。
【図３】図２の分解斜視図。
【図４】図１の実体物表示モードを、別の実体物表示モードに切り替えて表示させた状態を示す図。
【図５】図１の実体物表示モードを実体物非表示モードに切り替えて表示させた状態を示す図。
【図６】図２のマイコンによる制御対象を示すブロック図。
【図７】図２のマイコンによる表示制御の手順を示すフローチャート。
【図８】本発明の第２実施形態に係る表示装置の断面図。
【図９】第２実施形態に係る表示装置の正面図であって、実体物表示モードによる表示内容を示す図。
【図１０】図９の実体物表示モードを実体物非表示モードに切り替えて表示させた状態を示す図。
【図１１】本発明の第３実施形態に係る表示装置の、車両搭載状態を模式的に示す断面図。
【発明を実施するための形態】
【００１２】
以下、図面を参照しながら発明を実施するための複数の形態を説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。
【００１３】
（第１実施形態）
図１に示す表示装置Ｄは、車両の室内に位置するインストルメントパネルに組み付けられた、車両用の表示装置である。インストルメントパネルは、運転席に対して車両前方に位置し、運転席および助手席の乗員に視認されることを想定して表示装置Ｄは配置されている。表示装置Ｄは、車両の走行速度や車載バッテリの電力残量等、車両の状態を表した各種物理量の変化を表示したり、各種の異常が生じた場合にその旨を表示したり、演出画像を表示したりする。
【００１４】
図２に示すように、表示装置Ｄは主に、ケース１０、液晶パネル２０、バックライト装置３０、加飾リング４２０、加飾ボス部材４３０、および回路基板６０を備えて構成されている。ケース１０は遮光性を有する樹脂製であり、液晶パネル２０、バックライト装置３０および回路基板６０等を内部に収容して保持する。図２中の上下前後方向を示す矢印は、表示装置Ｄが車両に搭載された状態における重力方向（つまり上下方向）および車両前後方向を示す。
【００１５】
液晶パネル２０は、以下に説明するＴＦＴ基板、ＣＦ基板、液晶層および偏光フィルムを備える。ＴＦＴ基板は、薄膜トランジスタ（ＴＦＴ）、透明電極（ＩＴＯ）および基板を備えており、薄膜トランジスタおよび透明電極は基板に保持されている。ＣＦ基板は、カラーフィルタ（ＣＦ）、透明電極（ＩＴＯ）および基板を備えており、カラーフィルタおよび透明電極は基板に保持されている。
【００１６】
ＴＦＴ基板およびＣＦ基板は、互いに対向して積層配置されており、液晶層は、ＴＦＴ基板およびＣＦ基板の間に液晶を封止することで形成されている。なお、ＴＦＴ基板は、基板が液晶層の反対側（つまり積層の外側）に位置する向きに配置され、ＣＦ基板は、基板が液晶層の反対側（つまり積層の外側）に位置する向きに配置されている。ＴＦＴ基板およびＣＦ基板の各々の基板は湾曲した形状であり、形状の詳細は後述する。
【００１７】
偏光フィルムは、ＴＦＴ基板およびＣＦ基板の各々の基板のうち、上記積層の外側に貼り付けられている。偏光フィルムは、所定方向に振動する光を透過して光の振動方向を所定方向に規制するフィルタである。一対の偏光フィルムは、振動方向が９０度ずれるように配置されている。
【００１８】
ＴＦＴ基板の透明電極は複数行に配置され、ＣＦ基板の透明電極は複数列に配置され、これら複数本の透明電極は、行電極および列電極を組合せたマトリクス電極として機能する。行電極および列電極の各交差点が、液晶パネル２０表示の画素に対応する。透明電極に印加される電圧は薄膜トランジスタにより制御される。カラーフィルタは、赤色フィルタ、緑色フィルタおよび青色フィルタを有し、各フィルタは画素毎に配置されている。
【００１９】
バックライト装置３０は、導光板３１、反射板３２、拡散板３３および光源３４（図３参照）を有して構成されている。光源３４には、白色で発光する発光ダイオードが採用されており、複数の光源３４が導光板３１の側面に対向する位置に配置されている。光源３４から射出された光は、導光板３１へ側面から入射した後、反射板３２で反射しながら導光板３１の内部を進み、導光板３１の正面側（図２の左側）から出射する。導光板３１から出射した光は、拡散板３３にて乱反射しながら透過する。これにより、拡散板３３の全体が面発光した状態になり、液晶パネル２０の全面に対して均一でムラの少ない光が、バックライト装置３０から液晶パネル２０へ射出される。
【００２０】
反射板３２は導光板３１の背面側に密着して配置されている。これに対し、拡散板３３は、図２に示すように導光板３１の正面側に所定の隙間を空けて配置されていてもよいし、反射板３２と同様にして導光板３１の正面側に密着して配置されていてもよい。液晶パネル２０は、拡散板３３の正面側に所定の隙間４０ａを空けて配置されており、この隙間４０ａに、実体物である加飾リング４２０および加飾ボス部材４３０が配置されている。加飾リング４２０および加飾ボス部材４３０は、拡散板３３の正面側の面に接触した状態で固定されており、液晶パネル２０とは非接触である。
【００２１】
図３に示すように、加飾ボス部材４３０は、液晶パネル２０の側に向けて凸となる向きに配置された円錐形状であり、円錐面にメッキが施された樹脂製である。加飾ボス部材４３０は、加飾リング４２０の中央に配置されている。
【００２２】
加飾リング４２０は、透光性を有する樹脂で形成されたリング状（環状）であり、本実施形態に係る加飾リング４２０は円環状である。加飾リング４２０は、拡散板３３との接触面から正面側に隆起した形状である。加飾リング４２０の正面側の面には、複数の溝が形成されている。これらの溝は、加飾リング４２０の径方向に延びる筋状であり、指針画像Ｇ１４に指し示される目盛り４２１として機能する。
【００２３】
加飾リング４２０には導光部４２２が設けられており、加飾リング４２０および導光部４２２は、樹脂により一体に形成されている。導光部４２２の側面には、発光ダイオードによる光源４２３が取り付けられている。光源４２３から射出された光は、導光部４２２の側面から入射した後、導光部４２２および加飾リング４２０の内部を進み、目盛り４２１を形成する溝で反射して、加飾リング４２０の正面側（図２の左側）から出射する。目盛り４２１で反射した光は、液晶パネル２０の後述する特定表示領域Ｇ１０を透過してユーザに視認されることとなる。したがって、光源４２３を点灯させると目盛り４２１の部分が光って見える。
【００２４】
光源４２３には赤、緑、青の３種類が設けられている。各々の光源４２３の輝度をマイクロコンピュータ（マイコン６１）が制御することで、加飾リング４２０から射出される光の色を調整できる。つまり、目盛り４２１を所望の色で視認させることができる。加飾リング４２０および加飾ボス部材４３０は、液晶パネル２０による表示画像を加飾する加飾部材に相当する。
【００２５】
液晶パネル２０はフレキシブル配線板２１を有しており、フレキシブル配線板２１の先端に形成された端子２１ａは、マイコン６１が実装された回路基板６０に接続されている。マイコン６１は、中央演算処理装置等のプロセッサおよびメモリを有し、メモリ予め記憶されているプログラムをプロセッサが実行することで、各種の演算処理を実行する。回路基板６０から液晶パネル２０へ出力される画像信号は、フレキシブル配線板２１を介して液晶パネル２０の電極へ送信される。要するに、液晶パネル２０の表示面２０ａに表示される画像の内容は、マイコン６１により制御される。なお、この表示面２０ａは、ＣＦ基板のうち液晶層と反対側の面、或いはＣＦ基板に貼り付けられた偏光フィルムの表面に相当する。
【００２６】
先述したように、ＴＦＴ基板およびＣＦ基板の各々の基板は湾曲した形状であり、液晶パネル２０の全体が、図２および図３に示すように湾曲した形状になっている。したがって、表示面２０ａも湾曲した形状になっている。詳細には、液晶パネル２０は、１本の仮想直線ＶＬ（図３参照）の周りに湾曲した形状である。この仮想直線ＶＬが延びる方向は、表示装置Ｄが車両に搭載された状態で水平方向であり、車両の左右方向に一致する。液晶パネル２０が湾曲形状であるのに対しバックライト装置３０は平坦形状であるため、液晶パネル２０とバックライト装置３０との離間距離は、液晶パネル２０の部位によって異なる。具体的には、液晶パネル２０の上方部位における離間距離は、下方部位における離間距離よりも小さい。つまり、下方部位であるほど離間距離が大きくなるように液晶パネル２０は配置されている。
【００２７】
液晶パネル２０は、静電容量式のタッチスイッチ機能を有しており、液晶パネル２０の表示面２０ａを操作者が指先Ｆ（図２参照）で触れるといった接触操作が為されると、その接触操作がマイコン６１により検知される。マイコン６１は、接触操作の内容に応じて各種の制御を実行する。例えば、接触操作に応じて、車両の走行距離に関する情報を液晶パネル２０に表示させるといった表示制御を実行する。
【００２８】
タッチスイッチ機能は、図２および図６に示す電極２２により実現される。電極２２は、液晶パネル２０のうち表示面２０ａと反対側の面（つまり裏面）に取り付けられている。電極２２は、表示面２０ａに接触する指先Ｆとの間で静電容量を形成するとともに、その静電容量の大きさに応じた検出信号を制御装置６００へ出力する。マイコン６１は、検出信号に基づき接触操作が為されたか否かを判定する。つまり、予め設定しておいた閾値を超えて、検出された静電容量が大きい場合には、接触操作が為されていると判定する。このように判定している時のマイコン６１は、検出信号に基づきタッチ操作の有無を判定する判定部６１ｂ（図６参照）に相当する。なお、電極２２は、絶縁性の樹脂シートに設けられて保持されており、この樹脂シートを液晶パネル２０に貼り付けることで、電極２２は液晶パネル２０に取り付けられている。
【００２９】
回路基板６０は、車両に搭載された電子制御装置のうち表示装置Ｄの外部に設けられた電子制御装置から各種情報を取得し、取得した情報に基づき液晶パネル２０の表示内容を制御する。上記情報の具体例としては、車両の走行速度や車載バッテリの電力残量等、車両の状態を表した各種物理量の変化を表した情報、および各種異常が生じた旨の情報が挙げられる。
【００３０】
図２に示すように、ケース１０は、液晶パネル２０の正面側に位置する見返し板１１を有し、見返し板１１には開口部１１ａが形成されている。これにより、液晶パネル２０の表示面２０ａのうち、開口部１１ａの内側に位置する部分が視認可能領域となり、この視認可能領域は見返し板１１により仕切られて特定される。また、液晶パネル２０の外縁部分Ｐ１（図２参照）が、見返し板１１により覆い隠されることとなる。
【００３１】
バックライト装置３０の光源３４を点灯させると、拡散板３３の正面側の面（発光面３３ｂ）から射出される光は液晶パネル２０を透過し、開口部１１ａを通じて表示装置Ｄの正面側に射出される。これにより、液晶パネル２０が透過照明され、表示面２０ａに表示される画像がユーザに視認されるようになる。詳細には、液晶パネル２０の画素毎に配置された電極への印加電圧に応じて、該当する画素に対する光の透過率（光透過性）は変化する。
【００３２】
例えば、赤色フィルタ、緑色フィルタおよび青色フィルタに対応する電極の全てについて、透過率が最大になるようにマイコン６１が印加電圧を制御すると、各々のフィルタを透過する光の輝度が最大になる。その結果、該当する画素は白色に視認される。つまり、拡散板３３の発光色で視認される。一方、各フィルタに対応する電極の全てについて、透過率が最小になるように印加電圧を制御すると、各々のフィルタを透過する光の輝度が最小になる。その結果、該当する画素は黒色に視認される。
【００３３】
表示面２０ａのうち、上述の如く透過率が高くされた領域である特定表示領域Ｇ１０については、その領域の背面側に位置する物体、つまり加飾リング４２０、加飾ボス部材４３０または拡散板３３が、液晶パネル２０を透かして視認可能になる。具体的には、バックライト装置３０から射出した光のうち、加飾ボス部材４３０のメッキ部分で反射した光、および加飾リング４２０の内周側エッジ４２０ａから射出した光が、特定表示領域Ｇ１０を透過してユーザに視認される。さらに、光源４２３から射出して目盛り４２１で反射した光が、特定表示領域Ｇ１０を透過して視認される。さらに、バックライト装置３０のうち加飾リング４２０の内周側に位置する部分から射出した光が、特定表示領域Ｇ１０を透過して背景画像としてユーザに視認される。
【００３４】
一方、表示面２０ａのうち特定表示領域Ｇ１０に比べて透過率が低く制御された領域である他の表示領域Ｇ２０では、その領域の背面側に位置する物体は視認できなくなる。換言すれば、実体物である加飾リング４２０または加飾ボス部材４３０から液晶パネル２０に向かう光は、他の表示領域Ｇ２０を透過しないのでユーザに視認されない。なお、図１、図３、図４および図５に示す斜線は、断面ハッチングを意味するものではなく、他の表示領域Ｇ２０、Ｇ４００または表示領域Ｇ４１０の範囲を意味する。
【００３５】
透過率を高く制御するほど、実体物からの光が液晶パネル２０を透過する度合いが大きくなり、加飾ボス部材４３０、内周側エッジ４２０ａおよび目盛り４２１が鮮明に視認されるようになる。一方、透過率を低くするほど、加飾ボス部材４３０、内周側エッジ４２０ａおよび目盛り４２１からの光が液晶パネル２０を透過する度合いが小さくなり、ぼやけて視認されるようになる。
【００３６】
要するに、液晶パネル２０による透過率を制御することで、実体物が視認される実体物表示モード（図１および図４参照）と、実体物が視認されない実体物非表示モード（図５参照）とに切り替えることができる。また、実体物表示モードでは以下の態様で表示装置Ｄを視認させることもできる。例えば、液晶パネル２０による透過率の度合いに応じて実体物の鮮明度合い（ぼやける度合い）を制御できるので、その透過率を調整することで、実体物がぼやけて視認される度合いを調整できる。また、特定表示領域Ｇ１０に表示される画像と実体物とを重ねて視認させることができる。また、特定表示領域Ｇ１０のうち実体物と重なる部分を他の部分とは異なる色で表示することで、実体物がその表示色であるかのように錯覚させることができる。
【００３７】
図１に示す実体物表示モードでは、表示面２０ａのうち加飾リング４２０および加飾ボス部材４３０の全体を含む領域を特定表示領域Ｇ１０として設定しており、特定表示領域Ｇ１０の外側全体を他の表示領域Ｇ２０として設定している。特定表示領域Ｇ１０には、目盛り４２１を指し示す指針画像Ｇ１４、目盛り４２１に対応する数値を表した数字画像Ｇ１３、および影画像Ｇ１２が表示される。影画像Ｇ１２は、レーダをイメージさせる態様で指針の残像を表す画像である。車速に応じて指針画像Ｇ１４の表示位置を制御することで、指針画像Ｇ１４と目盛り４２１との組み合わせにより車速が表示される。
【００３８】
影画像Ｇ１２は、指針画像Ｇ１４から回転方向逆側に延びる影を模した画像である。よって、指針画像Ｇ１４の表示位置に応じて影画像Ｇ１２の表示位置も変化することとなる。なお、影画像Ｇ１２の回転方向長さは、指針画像Ｇ１４の回転速度が速いほど長く設定される。
【００３９】
要するに、図１に示す実体物表示モードでは、他の表示領域Ｇ２０に表示された黒色画像を背景とし、拡散板３３、加飾リング４２０、加飾ボス部材４３０、指針画像Ｇ１４、数字画像Ｇ１３および影画像Ｇ１２が組み合わさって視認される。また、表示面２０ａと実体物と拡散板３３とでは、視認方向における光路長が異なるので、焦点距離の違いによる視差が生じる。つまり、実体物は表示面２０ａの視認方向奥側（つまり背面側）に存在するように視認され、拡散板３３は実体物のさらに奥側に存在するように視認される。
【００４０】
他の表示領域Ｇ２０には黒色の背景画像が表示される。さらに他の表示領域Ｇ２０には、ウインカーが操作された向きを表示する方向指示画像Ｇ２２、各種異常を警告表示する警告画像Ｇ２３、およびアイコン画像Ｇ２４が、背景画像を背景として表示されている。アイコン画像Ｇ２４は、表示面２０ａのうち電極２２に対向する部分に表示されている。そのため、表示面２０ａのうちアイコン画像Ｇ２４の部分を指先Ｆで接触操作すると、先述したタッチスイッチ機能が作動する。
【００４１】
他の表示領域Ｇ２０に表示される全ての画像、つまり方向指示画像Ｇ２２、警告画像Ｇ２３、アイコン画像Ｇ２４および黒色の背景画像は、ＲＧＢを全てオフにすることで透過率が不透過となるように設定されている。一方、特定表示領域Ｇ１０に表示される白色の背景画像は、ＲＧＢを全てオンにすることで透過率が全透過となるように設定されている。
【００４２】
図４に示す実体物表示モードでは、表示面２０ａのうち加飾リング４２０および加飾ボス部材４３０を含む領域を特定表示領域Ｇ３００として設定し、特定表示領域Ｇ３００の外側全体を他の表示領域Ｇ４００として設定している。特定表示領域Ｇ３００には、バッテリ電力残存量を表す電力残量画像Ｇ３２０、および加飾リング４２０と同一の形状のリング画像Ｇ３０１が表示される。加飾ボス部材４３０を中心にリング画像Ｇ３０１が回転するように表示させることで、加飾リング４２０が実際に回転しているように錯覚させる。これにより、充電中である旨をユーザに認識させる。
【００４３】
他の表示領域Ｇ４００には黒色の背景画像が表示される。さらに他の表示領域Ｇ４００には、車速を数値で表した車速画像Ｇ４０１が、背景画像を背景として表示されている。背景画像および車速画像Ｇ４０１は、透過率が所定値未満となるように設定されている。一方、特定表示領域Ｇ３００に表示されるリング画像Ｇ３０１は、透過率が所定値以上となるように設定されている。なお、図４の例では電力残量画像Ｇ３２０の透過率を所定値未満に設定しているため、加飾ボス部材４３０は視認されない。よって、電力残量画像Ｇ３２０が表示される領域は、実体物を視認させない他の表示領域の一部である。
【００４４】
図５に示す実体物非表示モードでは、表示面２０ａの全体が、実体物を視認できない程度の低い透過率で表示される表示領域Ｇ４１０に設定されている。表示領域Ｇ４１０の中には、所定値未満の低透過率に設定された演出画像Ｇ４１１が表示されている。したがって、加飾リング４２０および加飾ボス部材４３０の両方がユーザに視認できない状態となる。なお、図５に示す実体物非表示モードは、終了演出モードまたは開始演出モードの一例である。
【００４５】
図６に示す駆動回路６３は、回路基板６０に実装されたものであり、マイコン６１から出力された指令信号にしたがって、液晶パネル２０が有する先述した薄膜トランジスタの駆動を制御する。電源回路６４は、回路基板６０に実装されたものであり、バックライト装置３０が有する光源３４への電力供給量を、マイコン６１から出力された指令信号にしたがって制御する。具体的には、光源３４への電力供給のオンオフを制御する。
【００４６】
回路基板６０に実装されたマイコン６１、メモリ６２、入力処理回路、出力処理回路等により、制御装置６００が構成されている。この制御装置６００は、駆動回路６３を制御することで液晶パネル２０の表示画像を制御するとともに、電源回路６４を制御することでバックライト装置３０のオンオフを制御していると言える。
【００４７】
メモリ６２には、液晶パネル２０に表示される各種の画像を表した画像データが記憶されている。マイコン６１は、車両の状態に応じて表示モードを切り替える切替部６１ａとしても機能する。例えば、イグニッションスイッチ（ＩＧＳＷ６０１）がオン操作されると、バックライト装置３０への電力供給をオンにして、実体物を視認させないようにしつつ演出画像を表示する開始演出モードで液晶パネル２０を表示させる。ＩＧＳＷ６０１がオフ操作された場合にも、実体物を視認させないようにしつつ演出画像を表示する終了演出モードで液晶パネル２０を表示させ、その後、バックライト装置３０への電力供給をオフにする。
【００４８】
開始演出モードの終了後、ＩＧＳＷ６０１がオフ操作されるまでの期間において、通常時には、センサ６０２により検出された車速等の物理量に基づき、該物理量を指し示すように指針画像Ｇ１４の表示位置を制御する。具体的には、図１に示す実体物表示モードで液晶パネル２０を表示させる。この場合、液晶パネル２０の表示レイアウトはユーザの好みに応じて変更可能である。但し、他の表示領域Ｇ２０の透過率は所定値未満とする。
【００４９】
車載バッテリの電力残存量が所定値未満になっている場合や、ユーザが表示の切り替えを要求した場合等、所定の条件を満たすイベントが発生した時には、図４に例示される実体物表示モードに切り替える。図４の例では、加飾ボス部材４３０を視認させないようにするべく、液晶パネル２０の表示面２０ａのうち加飾ボス部材４３０が背面側に位置する部分が、他の表示領域となるように表示制御する。車速画像Ｇ４０１は、センサ６０２により検出された車速を表した画像に制御される。また、他のイベントが発生した時には、図５に例示される実体物非表示モードに切り替える。図５の例では、加飾リング４２０および加飾ボス部材４３０の両方を視認させないようにするべく、表示面２０ａの全面が低透過率となるように表示制御する。
【００５０】
図７は、マイコン６１が有するプロセッサにより所定周期で繰返し実行される処理の手順を示すフローチャートであり、先ず、ステップＳ１０にて実体物表示モードが要求されているか否かを判定する。実体物をユーザに視認させる実体物表示モードが要求される例としては、加飾リング４２０の目盛り４２１を指針画像Ｇ１４で指し示すことにより物理量を表示する場合が挙げられ、具体的には、図１に示す如く車速を表示する場合が挙げられる。また、図４に示す如く加飾ボス部材４３０を視認させずに加飾リング４２０を視認させる場合が、実体物表示モードの具体例として挙げられる。
【００５１】
一方、加飾リング４２０および加飾ボス部材４３０の両方をユーザに視認させない実体物非表示モードが要求される例としては、液晶パネル２０に表示されている画像に注目させる場合が挙げられる。具体的には、表示装置Ｄの起動時に表示されるオープニング画像（図５参照）、表示装置Ｄの作動終了時に表示されるエンディング画像等に注目させる場合が挙げられる。
【００５２】
ステップＳ１０にて非表示モードと判定された場合には、続くステップＳ１１において、液晶パネル２０を以下のように表示させて全ての実体物を視認させないようにする演出制御を実行する。すなわち、表示面２０ａの全面に、実体物が視認できない程度に透過率の低い画像を表示させる。つまり、先述した背景画像および演出画像Ｇ４１１を表示させる。非表示モードでは、表示面２０ａの全面を低透過率にする必要はなく、少なくとも実体物が背面側に位置する部分の表示領域を低透過率にすればよい。
【００５３】
ステップＳ１０にて表示モードと判定された場合には、続くステップＳ１２において、液晶パネル２０を以下のように表示させて、全ての実体物の少なくとも一部を視認させるように、特定表示領域Ｇ１０の透過率を制御する。特定表示領域Ｇ１０は、加飾リング４２０および加飾ボス部材４３０を含むように設定されている。また、特定表示領域Ｇ１０に、指針画像Ｇ１４、数字画像Ｇ１３および影画像Ｇ１２を表示させる。これにより、指針画像Ｇ１４が目盛り４２１を指し示すことで車速等の物理量が表示されることとなる。
【００５４】
特定表示領域Ｇ１０のうち実体物が存在しない領域、かつ、指針画像Ｇ１４、数字画像Ｇ１３および影画像Ｇ１２が表示されていない領域は、拡散板３３が視認されることとなる。この領域の透過率が１００％であれば、この場合の拡散板３３は光源３４の色で面発光しているように視認される。つまり、拡散板３３を背景として、実体物、指針画像Ｇ１４、数字画像Ｇ１３および影画像Ｇ１２が視認されるようになる。他の表示領域Ｇ２０については、特定表示領域Ｇ１０よりも低い透過率に制御する。なお、ステップＳ１０の処理を実行している時のマイコン６１は、実体物表示モードと実体物非表示モードとに切り替える「切替部」に相当する。
【００５５】
以上により、本実施形態では、バックライト装置３０と、液晶パネル２０と、実体物としての加飾リング４２０および加飾ボス部材４３０と、を備える。バックライト装置３０および液晶パネル２０は、互いに離間させて隙間４０ａを形成するように配置され、その隙間４０ａに実体物が配置され、液晶パネル２０を通して視認されるように構成されている。そのため、液晶パネル２０の正面側に実体物を配置した場合に生じる「液晶パネル２０による画像の一部が実体物により遮られて見えなくなる」といった問題を回避できる。よって、液晶パネル２０に実体物を組み合わせて表示装置Ｄに奥行き感を付与させつつも、液晶パネル２０の表示面２０ａ全体を有効に利用できるようになる。
【００５６】
また、本実施形態によれば、液晶パネル２０による画像の奥側に実体物が視認され、さらにその実体物の奥側に拡散板３３が視認される。したがって、少なくとも３層のレイヤー表示を実現でき、奥行きのある見栄えにすることを向上できる。
【００５７】
さらに、本実施形態によれば、液晶パネル２０の表示面２０ａが湾曲した形状である。そのため、表示装置Ｄを正面からユーザが視認するにあたり、ユーザ自身の姿が表示面２０ａに映り込んで視認されてしまうことを抑制でき、しかも、液晶パネル２０の手前側に、映り込み防止用の湾曲カバーを設けることを不要にできる。
【００５８】
上記「映り込んで視認」とは、表示装置Ｄ外部の光である外光が、ユーザに反射した後、液晶パネルの表示面に反射してユーザの眼に入射して視認されることを言う。仮に、本実施形態に反して表示面２０ａが平坦形状である場合には、ユーザから表示面２０ａに向けて進む外光Ｌａ（図２参照）が、歪むことなくそのまま反射してユーザの目に入射し、ユーザ自身の姿がそのまま視認、つまり映り込んで視認されることとなる。これに対し、本実施形態では、表示面２０ａが湾曲形状であるため、外光Ｌａが表示面２０ａで歪められて反射する。よって、ユーザ自身で反射した外光Ｌａがそのままユーザの目に入射することが抑制され、映り込みが抑制される。
【００５９】
さらに本実施形態では、電極２２および判定部６１ｂを備える。そして、液晶パネル２０をタッチ操作する指先Ｆと電極２２との間で形成される静電容量に応じた検出信号を電極２２が出力し、その検出信号に基づきタッチ操作の有無を判定部６１ｂが判定する。そのため、静電容量式のタッチスイッチ機能を液晶パネル２０に付与できる、といった効果が発揮される。この効果は、表示面２０ａを湾曲させることで映り込み防止用の湾曲カバーを不要にできるといった先述の効果により実現されるものである。
【００６０】
さらに本実施形態では、表示面２０ａは、１本の仮想直線ＶＬの周りに湾曲した形状である。つまり、表示面２０ａは１方向に湾曲した形状である。そのため、例えば円錐形状等のように多方向に湾曲した形状に比べて、表示面２０ａの製造を容易にできる。
【００６１】
さらに本実施形態では、車両の室内に表示装置Ｄが設置された状態で、仮想直線ＶＬの延びる方向が水平方向である。つまり、表示面２０ａは上下方向に湾曲した形状である。そのため、車両のフロントウインドシールドから車室内へ入射して表示装置Ｄへ向かう外光Ｌｂ（図２参照）が、上下方向に拡散されるので、外光Ｌｂが表示面２０ａで反射してユーザの目に入ることを抑制でき、ユーザが眩しいと感じることを抑制できる。
【００６２】
さらに本実施形態によれば、液晶パネル２０のうち実体物が背面側に位置する部分の特定表示領域Ｇ１０の透過率が、他の表示領域Ｇ２０より高いので、特定表示領域Ｇ１０を透過して実体物が視認され易くなる。一方、他の表示領域Ｇ２０については、液晶パネル２０の背面側に存在する物（拡散板３３）が視認され難くなる。そのため、特定表示領域Ｇ１０を透して視認される実体物が目立つようになり、実体物に視線が惹きつけられることが促進される。
【００６３】
さらに本実施形態では、バックライト装置３０とは別に、加飾リング４２０（実体物）を照明する光源４２３を備える。そのため、加飾リング４２０の目盛り４２１と、液晶パネル２０に表示される各種画像との視差で浮遊感を生じさせるにあたり、目盛り４２１を鮮明に視認させることができるので、視差が強調されて浮遊感を向上できる。
【００６４】
さらに本実施形態では、実体物としての目盛り４２１が、指針画像Ｇ１４により指し示される。そのため、目盛り４２１が指針画像Ｇ１４の奥側に視認され、奥行きのある見栄えにすることを向上できる。さらに、目盛り４２１の奥側に、指針画像Ｇ１４の背景となる拡散板３３が視認されるので、奥行き感を向上できる。
【００６５】
さらに本実施形態では、他の表示領域Ｇ２０が黒色画像になるように液晶パネル２０を制御する。そのため、他の表示領域Ｇ２０では拡散板３３が視認されなくなり、かつ、特定表示領域Ｇ１０の輝度が他の表示領域Ｇ２０の輝度よりも高くなるので、加飾リング４２０および加飾ボス部材４３０への誘目性をより一層向上できる。
【００６６】
さらに本実施形態では、加飾リング４２０および加飾ボス部材４３０の両方を非表示にする非表示モード（図５参照）と、加飾ボス部材４３０を非表示にしつつ、加飾リング４２０を表示する表示モード（図４参照）とを切り替える。このように、実体物を液晶パネル２０の背面側に配置しているので、液晶パネル２０による低輝度領域（他の領域）を変更することで、所望の実体物を非表示にすることを容易に実現できる。
【００６７】
（第２実施形態）
上記第１実施形態に係る表示装置Ｄでは、液晶パネル２０とバックライト装置３０との間に配置する実体物として、加飾部材である加飾リング４２０および加飾ボス部材４３０を採用している。そして、指針画像Ｇ１４が目盛り４２１を指し示すことで、車速等の物理量を表示させている。これに対し、本実施形態に係る表示装置Ｄａでは、図８に示すように指針４０を実体物として採用している。
【００６８】
具体的には、液晶パネル２０とバックライト装置３０との隙間４０ａには、可動の実体物である指針４０が配置されている。指針４０は、指針部４１およびボス部４２を有する。つまり、加飾ボス部材４３０をボス部４２に置き換えている。なお、加飾リング４２０については第１実施形態と同様に実体物として採用している。指針部４１およびボス部４２は透光性を有する樹脂により一体に形成されている。ボス部４２には回転軸５１が固定されている。回転軸５１は、導光板３１、反射板３２および拡散板３３に形成された貫通穴３１ａに挿入配置されており、電動モータ５０により回転する。電動モータ５０は回路基板６０に取り付けられており、マイコン６１が電動モータ５０の駆動を制御することにより、指針４０の回転位置が制御される。
【００６９】
図９に示す実体物表示モードでは、表示面２０ａのうち指針４０の回転領域の全体を含む領域を特定表示領域Ｇ１０として設定しており、特定表示領域Ｇ１０の外側全体を他の表示領域Ｇ２０として設定している。特定表示領域Ｇ１０には、指針４０の影画像Ｇ１２が表示される。車速に応じて指針４０の回転位置を制御することで、指針４０と目盛り４２１との組み合わせにより車速が表示される。影画像Ｇ１２は、指針部４１から回転方向逆側に延びる影を模した画像である。よって、指針４０の回転位置に応じて影画像Ｇ１２の表示位置も変化することとなる。なお、影画像Ｇ１２の回転方向長さは、指針４０の回転速度が速いほど長く設定される。
【００７０】
要するに、図９に示す実体物表示モードでは、他の表示領域Ｇ２０に表示された黒色画像を背景とし、拡散板３３、指針４０、目盛り４２１および影画像Ｇ１２が組み合わさって視認される。また、表示面２０ａと指針４０と拡散板３３とでは、視認方向における光路長が異なるので、焦点距離の違いによる視差が生じる。つまり、指針４０は表示面２０ａの視認方向奥側（背面側）に存在するように視認され、拡散板３３は指針４０のさらに奥側に存在するように視認される。
【００７１】
図１０に示す実体物非表示モードでは、表示面２０ａは、各種情報を表示する第１表示領域としての特定表示領域Ｇ３００と、特定表示領域Ｇ３００の外側全体の領域である第２表示領域としての他の表示領域Ｇ４００とに区分されている。第２表示領域は、指針４０が視認されない程度に透過率が低く設定されており、指針４０の回転位置は、第２表示領域に対応する位置に制御されている。そのため、指針４０はユーザに視認されない。
【００７２】
第１表示領域には、車速を数値で表した車速画像Ｇ４０１と、車載バッテリの電力残量を表した電力残量画像Ｇ３２０とが表示されている。第１表示領域のうち電力残量画像Ｇ３２０の背景部分は、周期的に変化する態様で表示される。例えば電力残量画像Ｇ３２０を中心として背景画像が回転することにより、充電中であることを表現している。第２表示領域には黒色の背景画像が表示される。さらに第２表示領域には、ウインカーが操作された向きを表示する方向指示画像Ｇ２２が、背景画像を背景として表示されている。
【００７３】
図１０の例では、指針４０の一部が、液晶パネル２０に対向する位置から外れた位置となるよう、指針４０の回転位置を制御する。そして、指針４０を視認させないようにするべく、液晶パネル２０の表示面２０ａのうち指針４０が背面側に位置する部分が、第２表示領域となるように表示制御する。すなわち、本実施形態では、図７に示す制御を実施するにあたり、以下に説明する退避制御を追加している。すなわち、ステップＳ１０にて非表示モードと判定された場合には、図１０中の点線に示すように第２表示領域の背面側に指針４０を退避させる退避制御を実行する。その後、ステップＳ１１において先述した演出制御を実行する。
【００７４】
非表示モードにおける第１表示領域では、液晶パネル２０の背面側に位置する物体である拡散板３３が視認できない程度に透過率を低くする必要はない。例えば、第１表示領域の透過率を高くしても、指針４０は退避制御されているので視認されず、指針４０の背面側に位置する拡散板３３が視認されることとなる。仮に透過率が１００％であれば、この場合の拡散板３３は光源３４の色で面発光しているように視認される。
【００７５】
以上により、本実施形態によれば、液晶パネル２０とバックライト装置３０の間に指針４０（実体物）が配置されている。そのため、第１実施形態と同様にして、実体物としての指針４０を液晶パネル２０に組み合わせて表示装置Ｄａに奥行き感を付与させつつも、液晶パネル２０の表示面２０ａ全体を有効に利用できるようになる。
【００７６】
また、本実施形態によれば、液晶パネル２０による画像の奥側に指針４０が視認され、さらにその指針４０の奥側に拡散板３３が視認されることにより、少なくとも３層のレイヤー表示を実現でき、奥行きのある見栄えにできる。
【００７７】
さらに本実施形態によれば、指針４０が背面側に位置する部分の特定表示領域Ｇ１０の透過率が、他の表示領域Ｇ２０より高いので、特定表示領域Ｇ１０を透過して指針４０が視認され易くなる。一方、他の表示領域Ｇ２０については、液晶パネル２０の背面側に存在する物（拡散板３３）が視認され難くなる。そのため、特定表示領域Ｇ１０を透して視認される指針４０が目立つようになり、指針４０に視線が惹きつけられることが促進される。つまり、指針４０への誘目性を向上させることができる。
【００７８】
さらに本実施形態では、制御装置６００は、他の表示領域Ｇ２０が黒色画像になるように液晶パネル２０を制御する。そのため、他の表示領域Ｇ２０では拡散板３３が視認されなくなり、かつ、特定表示領域Ｇ１０の輝度が他の表示領域Ｇ２０の輝度よりも高くなるので、指針４０への誘目性をより一層向上できる。
【００７９】
さらに本実施形態によれば、液晶パネル２０とバックライト装置３０との間で実体物（指針４０）を動かすアクチュエータ（電動モータ５０）を備える。これによれば、液晶パネル２０の表示変化に実体物の変化を合体させて、多様な表示にできる。
【００８０】
さらに本実施形態によれば、特定表示領域Ｇ１０の透過率を、実体物（指針４０）が視認可能となる程度に高くする実体物表示モードと、実体物が視認できない程度に低くする実体物非表示モードとに切り替える切替部６１ａを備える。そのため、液晶パネル２０の表示を切り替えることで、実体物が現れたり消えたりする表示を容易に実現できる。
【００８１】
（第３実施形態）
本実施形態に係る表示装置Ｄは、図１１に示すように、インストルメントパネル（インパネ８０）のフード部８１を上下方向に貫通するように配置されている。なお、本実施形態に係る表示装置Ｄの構造は、上記第１実施形態に係る表示装置Ｄと同じであり、表示面２０ａは湾曲した形状である。また、制御装置６００による制御の内容も同じである。
【００８２】
フード部８１は、インパネ８０のうち運転者に対して車両前方、つまりステアリングホイール９０の車両前方に位置する部分である。フード部８１のうち水平方向に拡がる上面部には開口８０ａが形成されており、この開口８０ａに表示装置Ｄは挿入配置されている。
【００８３】
表示面２０ａは、フード部８１の上方に位置する上側表示面２０ａ１と、フード部８１の下方に位置する下側表示面２０ａ２とに区分けされる。下側表示面２０ａ２は、運転者の視点ＥＰからステアリングホイール９０の内側を通じて視認される。上側表示面２０ａ１は、運転者の視点ＥＰからステアリングホイール９０の外側かつ上側を通じて視認される。
【００８４】
このように、インパネ８０を上下方向に貫通配置された表示装置Ｄにおいても、表示面２０ａを湾曲させる構成を適用できる。なお、本実施形態においては、上側表示面２０ａ１および下側表示面２０ａ２のいずれもが湾曲した形状である。
【００８５】
（他の実施形態）
以上、発明の好ましい実施形態について説明したが、発明は上述した実施形態に何ら制限されることなく、以下に例示するように種々変形して実施することが可能である。各実施形態で具体的に組合せが可能であることを明示している部分同士の組合せばかりではなく、特に組合せに支障が生じなければ、明示してなくとも実施形態同士を部分的に組み合せることも可能である。
【００８６】
図３に示す実施形態では、加飾リング４２０に光源４２３を取り付けているが、該光源４２３を廃止してもよい。また、図８に示す実施形態において、指針４０に光源を取り付けて、該光源で指針４０を照明させてもよい。特定表示領域Ｇ１０、Ｇ３００は、実体物の全体が見えるように設定されてもよいし、実体物の一部が見えるように設定されてもよい。特定表示領域Ｇ１０、Ｇ３００と他の表示領域Ｇ２０、Ｇ４００との境界は、輝度が徐々に変化するグラデーション表示の画像にすることが望ましい。
【００８７】
上記第１実施形態に係る加飾部材は、リング形状の加飾リング４２０であるが、本発明に係る加飾部材はリング形状に限定されるものではなく、例えば、指針画像Ｇ１４や指針４０の回動方向に延びる円弧形状であってもよい。
【００８８】
上記各実施形態では、他の表示領域Ｇ２０に表示される背景画像を黒色に制御しているが、上記背景画像は黒色に限定されるものではなく、特定表示領域Ｇ１０よりも低透過率であれば、背景画像の色や輝度は任意に設定すればよい。
【００８９】
また、各実施形態では液晶パネル２０はフルカラータイプであるが、モノクロタイプであってもよい。また、行電極および列電極を備えたマトリックス型でなく、所定形状のセグメント電極を備えてそれに対応する画素による画像を表示するセグメント液晶パネルにも適用可能である。
【００９０】
また、上記各実施形態では、液晶パネル２０の表示面２０ａのうち実体物が背面側に位置する部分の表示領域である特定表示領域においては、他の表示領域に比べて光の透過率が高くなるように制御している。そして、実体物の全体が特定表示領域から目視可能となるように、特定表示領域の範囲や光透過率を制御している。しかしながら、実体物が部分的に目視可能となるように、特定表示領域の範囲や光透過率を制御してもよい。
【００９１】
上記各実施形態では、車両のインストルメントパネルに組み付けられた表示装置Ｄに本発明を適用させているが、本発明は該適用に限定されるものではなく、例えば、車両に搭載された電子ミラーに適用させてもよい。なお、電子ミラーとは、フロントウインドシールドやドアトリムに取り付けられて、ミラーに映る像を模した画像を表示させるものであり、車両後方の映像を表示させるものである。また、本発明は車両に搭載された表示装置に限定されるものではなく、例えば、パチンコやスロットル等の遊技機等や、家電製品に搭載された表示装置であってもよい。
【００９２】
上記第１実施形態では、液晶パネル２０とバックライト装置３０との間に配置する実体物として、加飾リング４２０および加飾ボス部材４３０つまり加飾部材を採用し、上記第２実施形態では、指針４０を採用している。これに対し、加飾部材および指針４０の両方を採用してもよい。要するに、実体物には、液晶パネル２０による表示画像を加飾する加飾部材および回転駆動される指針４０の少なくとも一方が含まれていることが望ましい。また、液晶パネル２０とバックライト装置３０との間に加飾部材を配置しつつ、指針４０については視認方向手前側に配置してもよい。
【００９３】
上記第１実施形態では、表示面２０ａは、水平方向に延びる仮想直線ＶＬの周りに湾曲した形状、つまり上下方向に湾曲した形状であり、図２に示す縦断面において湾曲した形状、かつ、横断面において平坦な形状である。これに対し、表示面２０ａは、上下方向に延びる仮想直線の周りに湾曲した形状、つまり水平方向に湾曲した形状であり、表示装置の縦断面において平坦な形状、かつ、横断面において湾曲した形状であってもよい。また、互いに向きを異にする複数本の仮想直線の周りに湾曲した形状、つまり、縦断面および横断面のいずれにおいても湾曲した形状であってもよい。
【００９４】
上記第２実施形態では、加飾部材と指針４０を実体物として採用しており、実体物により表示される目盛り４２１を指針４０で指し示している。これに対し、指針４０を実体物として採用しつつ、目盛り４２１については液晶パネル２０で画像表示させてもよい。この場合、以下の効果が発揮される。すなわち、指針４０を、液晶パネル２０の背面側ではなく正面側に配置すると、指針４０のボス部４２の厚さ分だけ指針４０を表示面２０ａから離す必要が生じる。これに対し本実施形態では、液晶パネル２０の背面側に指針４０を配置するので、視認方向における表示面２０ａと指針部４１との間隔を小さくできる。よって、目盛り画像と指針部４１との視線方向距離の差、つまり焦点距離の差（視差）を小さくできるので、いずれの目盛り画像を指し示しているのかの視認性を向上できる。
【００９５】
さらに本実施形態によれば、液晶パネル２０には、指針４０の影を表す影画像Ｇ１２が、指針４０の回転駆動に伴い表示位置が移動するように表示されている。さて、本実施形態によれば、先述した通り表示面２０ａと指針部４１との視差を小さくできるので、影画像Ｇ１２を表示させた場合、その影画像Ｇ１２と指針部４１との視差を小さくできる。よって、影画像Ｇ１２が実体物にピッタリと連れ動くように見せることができるので、実際の影であるかのように錯覚させることができ、表示装置Ｄによる表示のリアリティを向上できる。
【００９６】
上記各実施形態では、液晶パネル２０で表示させる表示画像を、表示面２０ａの湾曲に合わせて歪ませている。これにより、表示面２０ａを湾曲させることに伴い表示画像が視認者に歪んで視認されることを抑制させている。これに対し、湾曲に合わせて表示画像を歪ませることを廃止してもよい。
【００９７】
図２に示す実施形態では、液晶パネル２０とバックライト装置３０との離間距離に関し、液晶パネル２０の下方部位であるほど離間距離が大きくなるように液晶パネル２０が配置されている。これに対し、液晶パネル２０の下方部位であるほど離間距離が小さくなるように液晶パネル２０が配置されていてもよい。
【００９８】
図１１に示す実施形態では、上側表示面２０ａ１および下側表示面２０ａ２のいずれもが湾曲した形状である。これに対し、いずれか一方が湾曲した形状であってもよい。また、上側表示面２０ａ１および下側表示面２０ａ２の湾曲に係る曲率は同じであってもよいし、異なっていてもよい。
【００９９】
上記各実施形態では、表示面２０ａを湾曲させることに伴い、液晶パネル２０の手前側に映り込み防止用の湾曲カバーを設けることを廃止させている。これに対し、表示面２０ａを湾曲させつつ、映り込み防止用の湾曲カバーをさらに備えさせてもよい。
【０１００】
上記各実施形態では、ユーザの指先Ｆを表示面２０ａに接触させて操作することを想定しており、指先Ｆを操作体としている。これに対し、例えばペン形状の操作部材をユーザが持ち、その操作部材を表示面２０ａに接触させて操作してもよく、この場合には、人体以外の操作部材が操作体として機能する。また、ユーザが手袋をはめた状態で表示面２０ａを接触操作した場合には、手袋が操作体として機能する。
【０１０１】
制御装置６００が提供する手段および／または機能は、実体的な記憶媒体に記録されたソフトウェアおよびそれを実行するコンピュータ、ソフトウェアのみ、ハードウェアのみ、あるいはそれらの組合せによって提供することができる。例えば、制御装置６００がハードウェアである電子回路によって提供される場合、それは多数の論理回路を含むデジタル回路、またはアナログ回路によって提供することができる。また、上記各実施形態でマイコン６１が提供する機能をプロセッサで提供させてもよい。
【符号の説明】
【０１０２】
２０…液晶パネル、２０ａ…表示面、３０…バックライト装置、４０…指針（実体物）、４２０…加飾リング（実体物）、４３０…加飾ボス部材（実体物）、Ｄ、Ｄａ…表示装置。
【図１】
0006508071.tif 000002
【図２】
0006508071.tif 000003
【図３】
0006508071.tif 000004
【図４】
0006508071.tif 000005
【図５】
0006508071.tif 000006
【図６】
0006508071.tif 000007
【図７】
0006508071.tif 000008
【図８】
0006508071.tif 000009
【図９】
0006508071.tif 000010
【図１０】
0006508071.tif 000011
【図１１】
0006508071.tif 000012